(57)【要約】【課題】収納凹部内に収納する付属品の多少にかかわらず、収納凹部自体の形状を変更することなく同じ梱包用トレイを使用できるようにする。【解決手段】一枚の段ボールシートを複数回折り曲げることにより、外周の側壁間３，４，５，６に上下に複数の平面部７，８，９を形成する。付属品収納凹部２０を底面２０ｅと、４つの側面と、第１平面部７に切り欠いた付属品収納凹部用孔７ａとで形成する。この付属品収納凹部２０を、下辺２１ａが底面２０ｅに当接し、上辺２１ｂが反対側の付属品収納凹部用孔７ａ周縁まで延びる、取り外し可能な収納物保持用仕切板２１によって仕切る。収納物保持用仕切板２１を、一枚の段ボールシート２３を上辺２１ｂに表面側に突出し、垂直な方向に延びる突条２４が形成されるように折り曲げて形成する。突条２４で仕切られた一方に、下辺側から上辺２１ｂ側へ切り込まれたスリット２７により、舌片２８を形成する。【選択図】図７
2009096519.tif 000002
【特許請求の範囲】
【請求項１】
一枚のシートを複数回折り曲げることにより、外周の側壁間に上下に複数の平面部が形成され、
該複数の平面部のうち、下側平面部を底面として上方に開口した収納凹部が形成される梱包用トレイであって、
上記収納凹部は、
上記底面と、４つの側面と、上記上側の平面部に切り欠いた収納凹部用孔とで形成され、
下辺が上記底面と１つの側面とで形成された下側隅角部に当接し、上辺が該１つの側面に対向する側面側の上記収納凹部用孔周縁まで延びる、取り外し可能な収納物保持用仕切板によって仕切られ、
上記収納物保持用仕切板は、一枚のシートを表面側に突出し、上記上辺に垂直な方向に延びる突条を形成するように折り曲げられて形成され、
少なくとも上記突条で仕切られた一方には、下辺側から上辺側へ切り込まれたスリットにより、下辺側が表面側に折り曲げられ、さらに上方へ折り曲げられることで舌片が形成されている
ことを特徴とする梱包用トレイ。
【請求項２】
請求項１に記載の梱包用トレイであって、
上記対向側面上端は、上記収納凹部用孔周縁よりも奥まった部分まで延び、
上記収納物保持用仕切板の上辺は、上記収納凹部用孔周縁と該対向側面上端とで形成された上側隅角部に挿入されて保持されている
ことを特徴とする梱包用トレイ。
【請求項３】
請求項１又は２に記載の梱包用トレイであって、
上記突条は、断面三角形である
ことを特徴とする梱包用トレイ。
【請求項４】
請求項１乃至３のいずれか１つに記載の梱包用トレイであって、
上記舌片の裏面には、携帯端末の電池蓋が保持され、
上記舌片の反対側には、電池パックが保持される
ことを特徴とする梱包用トレイ。
【発明の詳細な説明】
【技術分野】
【０００１】
携帯電話機などの電子機器を梱包するための梱包用トレイであって、特にその輸送時の落下や振動対策に関する。
【背景技術】
【０００２】
一般的に、携帯電話機購入時は、携帯電話機本体、電池蓋、電池パック、ステレオイヤホン、ＵＳＢケーブル、取扱説明書等が１つの梱包用箱に梱包されている。近年、製品名や同梱物名を印刷した個装ケースに、携帯電話機本体、電池蓋、電池パック、ステレオイヤホン及びＵＳＢケーブルを収納する梱包用トレイと、取扱説明書とを梱包するようになっている。また、梱包用トレイ上においては、収納凹部が２つ設けられ、一方に携帯電話機本体、他方に電池蓋、電池パック、ステレオイヤホン、ＵＳＢケーブル等が収納されるように分離されている。
【０００３】
例えば、特許文献１においては、包装箱の前板の上縁に蓋受け部、仕切り前部、仕切り底部及び仕切り後部を順次折罫線を介し連接して天面フラップを形成し、包装箱内に電話機本体を収納した後上記天面フラップを各折罫線に沿って内方に折り込むことにより、箱内部を電話機本体が収納される主収納空間と補助収納空間とに区画している。そして、補助収納空間内に電源アダプタや回線コード等の付属品を収納した後、後板の上縁に折罫線を介して連接した天蓋板で補助収納空間の開口を閉塞することにより、天面フラップを利用して箱内部を主収納空間と補助収納空間に区画形成し、別部材としての仕切りを省略している。
【０００４】
特許文献２においては、梱包箱の胴体部の底を形成する胴体底に、胴体側壁、胴体上、胴体側壁が設けられ、これを折り込むことで四角柱形上の箱が形成されている。胴体底には、中底、支持壁、底、支持壁、中底が設けられ、底を中央の溝として両側に中底を有する溝構造仕切り板が取り付けられている。胴体側壁には、内蓋の端部に折り込み板が設けられ、これにより形成される箱部と、支持壁を折り込んだ場合に中底に直角に配置される耳部とによって被梱包物が固定されている。電池は切り欠きによって設けられるスペースに収納され、紙を折り曲げ、外箱と共に内部仕切を形成し、小型携帯電子機器等を安全かつ確実に保持することができるようにしている。
【特許文献１】特開平７−２３７６２９号公報
【特許文献２】特開平１１−２３６０２６号公報
【発明の開示】
【発明が解決しようとする課題】
【０００５】
ところで、携帯電話機の一部のモデルでは、ステレオイヤホン及びＵＳＢケーブルが同梱されず、希望者にのみ別売とするケースが増えてきている。このような場合、従来の梱包用トレイでは、電池蓋、電池パック、ステレオイヤホン及びＵＳＢケーブルが収納されていた収納凹部は、比較的大きな容積を占めていたステレオイヤホン、ＵＳＢケーブルがなくなることで、収納凹部内で電池蓋や電池パックががたつかないようにするために、収納凹部を小さく変更しなければばらない。
【０００６】
携帯電話機、電池蓋、電池パック、ステレオイヤホン及びＵＳＢケーブルの外形は、モデルによって大きさの差は小さく、大き目の収納凹部に収納しても問題ないため、同一のトレイでカバーできるが、ステレオイヤホン及びＵＳＢケーブルがあるものとないものでは、サイズの差が大きすぎるので、収納凹部を小さくしなければならないという問題がある。
【０００７】
本発明は、かかる点に鑑みてなされたものであり、その目的とするところは、収納凹部内に収納する付属品の多少にかかわらず、収納凹部自体の形状を変更することなく同じ梱包用トレイを使用できるようにすることを目的とする。
【課題を解決するための手段】
【０００８】
上記目的を達成するために、本発明では、収納凹部を仕切る仕切板を設け、仕切板で収納凹部内のスペースを調整するようにした。
【０００９】
具体的には、第１の発明では、
一枚のシートを複数回折り曲げることにより、外周の側壁間に上下に複数の平面部が形成され、
該複数の平面部のうち、下側平面部を底面として上方に開口した収納凹部が形成される梱包用トレイを対象とする。
【００１０】
上記収納凹部は、
上記底面と、４つの側面と、上記上側の平面部に切り欠いた収納凹部用孔とで形成され、
下辺が上記底面と１つの側面とで形成された下側隅角部に当接し、上辺が該１つの側面に対向する側面側の上記収納凹部用孔周縁まで延びる、取り外し可能な収納物保持用仕切板によって仕切られ、
上記収納物保持用仕切板は、一枚のシートを表面側に突出し、上記上辺に垂直な方向に延びる突条を形成するように折り曲げられて形成され、
少なくとも上記突条で仕切られた一方には、下辺側から上辺側へ切り込まれたスリットにより、下辺側が表面側に折り曲げられ、さらに上方へ折り曲げられることで舌片が形成されている。
【００１１】
上記の構成によると、収納凹部内に収納される収納物が減った場合でも、収納物保持用仕切板を設けることで、収納凹部内のスペースが狭められ、収納凹部内に収納した収納物ががたつかない。収納物保持用仕切板は、突条を形成するように折り曲げることにより、突条部分が弾性変形可能となり、突条に垂直な方向に付勢力を生じさせることができる。このため、上辺を収納凹部用孔周縁に挿入するときに突条部分を弾性変形させることで、その付勢力により、収納物保持用仕切板が外れにくくなる。また、舌片により、収納物を押さえることで収納物ががたつかない。このため、収納凹部内に収納する付属品の多少にかかわらず、収納凹部自体の形状を変更することなく同じ梱包用トレイを使用できる。なお、舌片は、突条で仕切られた一方のみに設けてもよいし、両方に設けてもよい。
【００１２】
第２の発明では、第１の発明において、
上記対向側面上端は、上記収納凹部用孔周縁よりも奥まった部分まで延び、
上記収納物保持用仕切板の上辺は、上記収納凹部用孔周縁と該対向側面上端とで形成された上側隅角部に挿入されて保持されている。
【００１３】
上記の構成によると、収納物保持用仕切板の上辺が収納凹部用孔周縁と対向側面上端とで形成された上側隅角部に挿入されることにより、確実に保持されるので、収納凹部内に収納した収納物のぐらつきが防止される。そして、収納物保持用仕切板は、突条を形成するように折り曲げることにより、突条部分が弾性変形可能となり、突条に垂直な方向に付勢力を生じさせることができる。このため、上辺を上側隅角部に挿入するときに突条部分を弾性変形させることで、その付勢力により、収納物保持用仕切板が外れにくくなる。
【００１４】
第３の発明では、第１又は第２の発明において、
上記突条は、断面三角形とする。
【００１５】
上記の構成によると、簡単で折り曲げやすい構成で、突条の延びる方向に垂直に適度な弾性が発揮される。
【００１６】
第４の発明では、第１乃至第３のいずれか１つの発明において、
上記舌片の裏面には、携帯端末の電池蓋が保持され、
上記舌片と反対側には、電池パックが保持される構成とする。
【００１７】
すなわち、携帯端末の付属品を収納する収納凹部は、電池蓋、電池パック、ステレオイヤホン及びＵＳＢケーブル等が収納可能なサイズに設定されているが、上記の構成によると、比較的大きな容積を占めるステレオイヤホン及びＵＳＢケーブル等が同梱されない場合でも、収納物保持用仕切板で仕切ることにより、収納凹部内で電池蓋や電池パックががたつかないため、収納凹部を小さく変更する必要はない。さらに、電池蓋は、切欠に確実に保持される。
【発明の効果】
【００１８】
以上説明したように、本発明によると、折り曲げて成形された突条と、スリットにより切り起こされた舌片とを有し、下辺が収納凹部の底面と１つの側面との間に形成される下側隅角部に当接し、上辺が対向する側面の上記収納凹部用孔周縁まで延びる、取り外し可能な収納物保持用仕切板を付属品に合わせ、収納凹部に取り外し又は取り付けることにより、収納凹部内に収納する付属品の多少にかかわらず、収納凹部自体の形状を変更することなく同じ梱包用トレイを使用できる。
【発明を実施するための最良の形態】
【００１９】
以下、本発明の実施形態を図面に基づいて説明する。
【００２０】
図１及び図２は本発明の実施形態の梱包用トレイ１を示し、図３に折り畳む前の段ボールシート２を示す。
【００２１】
梱包用トレイ１は、一枚の段ボールシート２を複数回折り曲げることにより、直方体状に組み立てられる。具体的には、梱包用トレイ１は、外周を囲む第１〜第４側壁３，４，５，６と、上下に並んだ第１〜第３平面部７，８，９とを有する。
【００２２】
第１側壁３及び第３側壁５は、梱包用トレイ１の幅方向を塞ぐもので、先端にそれぞれ折り込み用のフラップ部３ａ，５ａを備えている。フラップ部３ａ，５ａは、梱包用トレイ１の幅方向に延びる幅方向折曲線３１で折り曲げ可能となっている。第２側壁４は、梱包用トレイ１の底面を構成する第３平面部９に連続し、この第３平面部９は、糊付用のフラップ部９ａを備えている。第４側壁６は、第２平面部８に連続している。第２側壁４と第３平面部９、第３平面部９とそのフラップ部９ａ及び第４側壁６と第２平面部８の間には、それぞれ折り曲げやすいようにＨ形のスリット３０が複数加工されている。スリット３０のないところには、長手方向に延びる長手方向折曲線３２が形成されている。
【００２３】
上記第１〜第３平面部７，８，９のうち、上下中間の第２平面部８を底面として上方に開口した本体収納凹部１０が形成されている。この本体収納凹部１０には、携帯電話機本体５０が収納されるようになっている。つまり、第２平面部８は、携帯電話機本体５０が収納状態でぐらつかないように、上げ底になっている。
【００２４】
上記本体収納凹部１０を形成する第２平面部８には、一対の直線状の差込用孔１１が向かい合うように互いに平行に形成されている。
【００２５】
上記本体収納凹部１０の上縁には、内側に折り込むことにより、本体収納凹部１０の側面を構成する一対の仕切板１２が形成されている。仕切板１２の底辺１２ａには、保持片１５が連続して形成されている。図６に示すように、保持片１５は、仕切板１２を、底辺１２ａを折り曲げ線としてさらに内側に折り込むことにより、第２平面部８に重なると共に、先端１５ａが第１側壁３又は第３側壁５に当接するように構成されている。保持片１５の先端１５ａには、指先を掛けるための半円形の指掛用切欠１６が形成されている。
【００２６】
保持片１５を折り曲げることにより、折り曲げ線の底辺１２ａから差込突部１３が突出するようにコ字状のスリットが設けられている。差込突部１３は、差込用孔１１の幅よりも若干幅が狭くなっている。このことで、仕切板１２を本体収納凹部１０上縁の幅方向折曲線３１に沿って折り曲げて本体収納凹部１０の側面とするときに、差込突部１３が差込用孔１１に差し込まれて抜け止めされるように構成されている。また、差込突部１３を差込用孔１１に差し込んだ状態で、仕切板１２の底辺１２ａは、第２平面部８に当接している。
【００２７】
第２平面部８に連続する本体収納凹部１０の凹部長手方向側壁１０ａは、下端に起立部１０ｂが切り込まれ、組み立てられたときに、その起立部１０ｂ先端が第３平面部９に当接するようになっている。
【００２８】
梱包用トレイ１は、本体収納凹部１０に並んで、付属部品である電池蓋５４、電池パック５３、ステレオイヤホン及びＵＳＢケーブル（図示せず）等が梱包される付属品収納凹部２０を備えている。付属品収納凹部２０は、底面２０ｅと、４つの側面と、第１平面部７に切り欠いた付属品収納凹部用孔７ａとで形成されている。上記本体収納凹部１０と異なり、この底面２０ｅは、最も低い第３平面部９で構成されている。付属品収納凹部２０の収納凹部長手方向側面２０ａは、糊付部２０ｂを介して凹部長手方向側壁１０ａに連続し、下端に一対の切込部２０ｃを備えている。この切込部２０ｃには、第１平面部７に連続して付属品収納凹部２０の側面を構成する収納凹部幅方向側面２０ｄが幅方向折曲線３１で折り曲げられた起立状態で差し込まれるようになっている。
【００２９】
図７に示すように、付属品収納凹部２０は、下辺２１ａが付属品収納凹部２０の底面２０ｅと第２側壁４とで形成される下側隅角部２２に当接し、上辺２１ｂが対向する収納凹部長手方向側面２０ａ側の付属品収納凹部用孔７ａ周縁まで延びる、取り外し可能な収納物保持用仕切板２１によって仕切ることが可能となっている。収納凹部長手方向側面２０ａ上端は、付属品収納凹部用孔７ａ周縁よりも奥まった部分まで延び、収納物保持用仕切板２１の上辺２１ｂは、付属品収納凹部用孔７ａ周縁と収納凹部長手方向側面２０ａ上端とで形成された上側隅角部２９に挿入されて保持されている。
【００３０】
図８に示すように、収納物保持用仕切板２１は、一枚の略台形型の段ボールシート２３を表面側に突出し、上辺２１ｂに垂直な方向に延びる突条２４が形成されるように折り曲げられて形成される。段ボールシート２３の左右中間部に上辺２１ｂに垂直な３本の折り曲げ線２６ａ，２６ｂ，２６ｃを設け、これらの上下を折り曲げ線２６ａ，２６ｂ，２６ｃをつなぐ三角形状に切欠２５を設け、左右の折り曲げ線２６ａ，２６ｃを谷折りにし、中央の折り曲げ線２６ｂを山折りにすることで、断面三角形の突条２４が形成される。このように、突条２４を形成するように折り曲げることにより、突条２４部分が弾性変形可能となり、突条２４に垂直な方向に付勢力を生じさせることができる。この簡単で折り曲げやすい構成で、突条２４に適度な弾性が発揮される。
【００３１】
また、突条２４で仕切られた一方には、下辺側から上辺２１ｂ側へ略逆Ｕ字状に切り込まれたスリット２７により、下辺側が表面側に折り曲げられ、さらに上方へ折り曲げられることで舌片２８が形成されている。舌片２８の裏面には、携帯端末の電池蓋５４が保持され、突条２４で仕切られた舌片２８と反対側には、電池パック５３が保持されるようになっている。
【００３２】
−梱包用トレイ１の梱包手順−
次に、本実施形態にかかる梱包用トレイ１の組立手順について説明する。
【００３３】
まず、一枚の段ボールシート２を図３に示す展開図のように切り抜き、スリット３０及び幅方向折曲線３１及び長手方向折曲線３２を形成する。このとき、差込用孔１１、仕切板１２、差込突部１３、起立部１０ｂ、切込部２０ｃ等も切り込み加工しておく。
【００３４】
次いで、第４側壁６及び糊付部２０ｂに糊を塗布しておく。
【００３５】
次いで、長手方向折曲線３２に沿って順次段ボールシート２を折り曲げる。すると、糊を塗布した第４側壁６とフラップ部９ａとが貼り付けられ、糊付部２０ｂと第１平面部７裏面とが貼り付けられる。この状態で段ボールシート２は、幅方向に折り畳み可能となり、折り畳んで第１〜第３平面部７，８，９が重なった状態の段ボールシート２を商品梱包場所に運搬すると、かさが減って運搬しやすい。
【００３６】
次いで、一対の仕切板１２を幅方向折曲線３１に沿って内側へ折り曲げる。仕切板１２を折り曲げるときには、指掛用切欠１６に指先を掛けることで、折り曲げ作業が容易に行われる。まず、仕切板１２の底辺１２ａを折り曲げ、保持片１５の先端を第３平面部９に摺接させながら折り込み、底辺１２ａが第３平面部９に摺接する際には、仕切板１２を押さえながら、差込突部１３を差込用孔１１に差し込む。すると、保持片１５が第２平面部８に重なる。
【００３７】
最後に第１側壁３のフラップ部３ａ及び第３側壁５のフラップ部５ａを第３平面部９側に差し込んで梱包用トレイ１の組立が完了する。この段階で図６に示すように、第１側壁３及び第３側壁５のそれぞれの内面は、保持片１５の先端に当接するので、保持片１５がさらに水平に移動することはない。このようにして、仕切板１２が堅固に保持され、製品を梱包した状態で落下や振動により外力が加わっても、差込突部１３が差込用孔１１から容易に外れない。
【００３８】
この状態で、図４に示すように、本体収納凹部１０に携帯電話機本体５０を挿入し、付属品収納凹部２０に付属品を収納する。
【００３９】
次いで、携帯電話機の付属品として、電池蓋５４、電池パック５３、ステレオイヤホン及びＵＳＢケーブル（図示せず）を収納する場合には、付属品収納凹部２０にこれらを収納する。付属品収納凹部２０は、これらの付属品が収納可能なサイズに設定されている。
【００４０】
一方、比較的大きな容積を占めるステレオイヤホン及びＵＳＢケーブル等が同梱されない場合には、付属品収納凹部２０を収納物保持用仕切板２１で仕切る。
【００４１】
まず、予め図８に示す一枚の段ボールシート２３を突条２４及び舌片２８を形成するように折り曲げ、収納物保持用仕切板２１を形成しておく。
【００４２】
そして、図７に示すように、収納物保持用仕切板２１の下辺２１ａを下側隅角部２２に当接させた状態で、突条２４を変形させながら、収納物保持用仕切板２１の上辺２１ｂを上側隅角部２９に挿入する。この突条２４の付勢力により、左右方向に付勢力が働き、収納物保持用仕切板２１が外れにくくなる。
【００４３】
次いで、舌片２８の裏面側に携帯電話機の電池蓋５４を挿入し、反対側に電池パック５３を立てるように収納する。この舌片２８により、電池蓋５４が押さえられる。
【００４４】
このように、付属品収納凹部２０内に収納される収納物が減った場合でも、収納物保持用仕切板２１を設けることで、付属品収納凹部２０内のスペースが狭められ、付属品収納凹部２０内に収納した電池パック５３及び電池蓋５４ががたつかない。このため、付属品収納凹部２０内に収納する付属品の多少にかかわらず、付属品収納凹部２０自体の形状を変更することなく同じ梱包用トレイ１を使用できる。
【００４５】
最後に、図５に示すように、梱包用トレイ１を外箱５１に挿入し、外箱５１の第１フラップ部５１ａを折り込んだ上で取扱説明書５２等が収納され、第２フラップ部５１ｂで蓋をすることで携帯電話機の梱包作業が完成する。外箱５１の第１フラップ部５１ａの裏面により、電池パック５３の上端が適度に押さえられるので、電池パック５３ががたつくのが防止される。
【００４６】
−実施形態の効果−
したがって、本実施形態にかかる梱包用トレイ１によると、折り曲げて成形された突条２４と、スリット２７により切り起こされた舌片２８とを有し、下辺２１ａが下側隅角部２２に当接し、上辺２１ｂが上側隅角部２９に当接する、取り外し可能な収納物保持用仕切板２１を付属品に合わせ、付属品収納凹部２０に取り外し、又は取り付けることにより、付属品収納凹部２０内に収納する付属品の多少にかかわらず、付属品収納凹部２０自体の形状を変更することなく同じ梱包用トレイ１を使用できる。
【００４７】
（その他の実施形態）
本発明は、上記実施形態について、以下のような構成としてもよい。
【００４８】
すなわち、上記実施形態では、本体収納凹部１０に携帯電話機本体５０を挿入したが、これに限定されず、ＰＨＳ、ＰＤＡ、ＰＣ、モバイルツール、電子辞書、電卓、複写機等幅広い用途がある。また、付属品収納凹部２０内にステレオイヤホン及びＵＳＢケーブル等が同梱されない場合に、電池パック５３及び電池蓋５４を収納物保持用仕切板２１，１２１で保持するようにしたが、これに限定されない。要は、付属品収納凹部２０内の収納物が変動する場合に本発明が適用可能である。
【００４９】
上記実施形態では、突条２４で仕切られた一方側にのみ舌片２８を設けたが、他方にも舌片２８を設けてもよい。
【００５０】
なお、以上の実施形態は、本質的に好ましい例示であって、本発明、その適用物や用途の範囲を制限することを意図するものではない。
【図面の簡単な説明】
【００５１】
【図１】本発明の実施形態にかかる梱包用トレイの斜視図である。
【図２】梱包用トレイの平面図である。
【図３】組立前の梱包用トレイの展開図である。
【図４】梱包用トレイを外箱に挿入した様子を示す斜視図である。
【図５】梱包用トレイを挿入後、取扱説明書を挿入する様子を示す斜視図である。
【図６】図２のVI−VI線断面図である。
【図７】収納物保持用仕切板で付属品収納凹部を仕切った様子を示す図１相当図である。
【図８】収納物保持用仕切板の展開図である。
【符号の説明】
【００５２】
１      梱包用トレイ
２      段ボールシート（シート）
３      第１側壁
４      第２側壁
５      第３側壁
６      第４側壁
７      第１平面部（上側平面部）
７ａ    付属品収納凹部用孔
８      第２平面部
２０      付属品収納凹部
２０ａ    収納凹部長手方向側面（対向側面）
２０ｄ    底面
２１      収納物保持用仕切板
２１ａ    下辺
２１ｂ    上辺
２２      下側隅角部
２３      段ボールシート
２４      突条
２５      切欠
２６ａ〜２６ｃ  折り曲げ線
２７      スリット
２９      上側隅角部
５３      電池パック
５４      電池蓋
【図１】
2009096519.tif 000003
【図２】
2009096519.tif 000004
【図３】
2009096519.tif 000005
【図４】
2009096519.tif 000006
【図５】
2009096519.tif 000007
【図６】
2009096519.tif 000008
【図７】
2009096519.tif 000009
【図８】
2009096519.tif 000010